(57)【特許請求の範囲】
【請求項１】
弦と、
前記弦を打撃する打弦部材と、
前記打弦部材を支持するシャンクレールと、
鍵と、
前記鍵の動きに応じて前記打弦部材を突き上げるジャックと、
前記ジャックの一部に当接して、前記ジャックの運動方向を変えるレギュレーティングボタンと、
前記打弦部材の移動範囲に進退自在に設けられ、前記打弦部材の移動範囲に侵入させた時に前記打弦部材の打弦を阻止するストッパ機構とを備える鍵盤楽器において、
前記鍵の配列方向に連続する複数の前記レギュレーティングボタンの各々と前記ジャックの各々との間に前記レギュレーティングボタンの傾斜面に沿って進退自在に設けられ、前記ジャックと前記レギュレーティングボタンとの間に侵入した時に、前記レギュレーティングボタンに代わって前記ジャックの運動方向を変える複数のスペーサ部であって、各々の前記レギュレーティングボタンと各々の前記ジャックとの間に侵入させられる複数の部材と、前記鍵の配列方向に延在し当該複数の部材を支持するホルダとをそれぞれ有する複数のスペーサ部と、
前記ジャックと前記レギュレーティングボタンとの間の位置と、該位置から退避した位置との間で前記スペーサ部を前記鍵の長手方向に沿って移動させる駆動機構と、
前記シャンクレールに固定され、前記駆動機構を支持する固定部材とを備え、
前記スペーサ部の移動可能方向平面と異なる位置であって、且つ、前記スペーサ部を鉛直方向上方から見たときに当該スペーサ部と前記駆動機構とが重なるような位置に、当該駆動機構が支持されていることを特徴とする鍵盤楽器。
【請求項２】
前記駆動機構は、
回転自在に設けられる軸と、
前記軸に固定され、前記軸の回転に伴って回動させられる回動部材とを有し、
前記スペーサ部は、回動させられる前記回動部材の変位に伴って移動させられることを特徴とする請求項１に記載の鍵盤楽器。
【請求項３】
前記回動部材が回動させられた場合に、前記回動部材が前記スペーサ部に当接することにより、前記スペーサ部が移動させられることを特徴とする請求項２に記載の鍵盤楽器。
【請求項４】
前記軸の位置を上下方向及び又は前記鍵の長手方向に調整することができる軸位置調整手段を更に具備することを特徴とする請求項２又は請求項３に記載の鍵盤楽器。
【請求項５】
前記駆動機構は、
一端が前記ホルダに回転自在に連結され、他端がピンに回転自在に連結され、当該ピンを中心にして回転する連結部材を備え、
前記スペーサ部は、前記ピンを中心として回転させられる前記連結部材の変位に伴って移動させられることを特徴とする請求項１に記載の鍵盤楽器。
【請求項６】
鍵と、弦を打撃する打弦部材と、前記打弦部材を支持するシャンクレールと、前記鍵の動きに応じて前記打弦部材を突き上げるジャックと、前記ジャックの一部に当接して、前記ジャックの運動方向を変えるレギュレーティングボタンとを備える鍵盤楽器の消音装置であって、
前記打弦部材の移動範囲に進退自在に設けられ、前記打弦部材の移動範囲に侵入させた時に前記打弦部材の打弦を阻止するストッパ機構と、
前記鍵の配列方向に連続する複数の前記レギュレーティングボタンの各々と前記ジャックの各々との間に前記レギュレーティングボタンの傾斜面に沿って進退自在に設けられ、前記ジャックと前記レギュレーティングボタンとの間に侵入した時に、前記レギュレーティングボタンに代わって前記ジャックの運動方向を変える複数のスペーサ部であって、各々の前記レギュレーティングボタンと各々の前記ジャックとの間に侵入させられる複数の部材と、前記鍵の配列方向に延在し当該複数の部材を支持するホルダとをそれぞれ有する複数のスペーサ部と、
前記ジャックと前記レギュレーティングボタンとの間の位置と、該位置から退避した位置との間で前記スペーサ部を前記鍵の長手方向に沿って移動させる駆動機構と、
前記シャンクレールに固定され、前記駆動機構を支持する固定部材とを備え、
前記スペーサ部の移動可能方向平面と異なる位置であって、且つ、前記スペーサ部を鉛直方向上方から見たときに当該スペーサ部と前記駆動機構とが重なるような位置に、当該駆動機構が支持されていることを特徴とする鍵盤楽器の消音装置。
【請求項７】
前記駆動機構は、
回転自在に設けられる軸と、
前記軸に固定され、前記軸の回転に伴って回動させられる回動部材とを有し、
前記スペーサ部は、回動させられる前記回動部材の変位に伴って移動させられることを特徴とする請求項６に記載の鍵盤楽器の消音装置。
【請求項８】
前記回動部材が回動させられた場合に、前記回動部材が前記スペーサ部に当接することにより、前記スペーサ部が移動させられることを特徴とする請求項７に記載の鍵盤楽器の消音装置。
【請求項９】
前記軸の位置を上下方向及び又は前記鍵の長手方向に調整することができる軸位置調整手段を更に具備することを特徴とする請求項７又は請求項８に記載の鍵盤楽器の消音装置。
【請求項１０】
前記駆動機構は、
一端が前記ホルダに回転自在に連結され、他端がピンに回転自在に連結され、当該ピンを中心にして回転する連結部材を備え、
前記スペーサ部は、前記ピンを中心として回転させられる前記連結部材の変位に伴って移動させられることを特徴とする請求項６に記載の鍵盤楽器の消音装置。
【発明の詳細な説明】
【０００１】
【発明の属する技術分野】
本発明は、鍵盤楽器及び鍵盤楽器の消音装置に関する。
【０００２】
【従来の技術】
ピアノ等の鍵盤楽器においては、通常の演奏と押鍵しても打弦しない消音演奏とを切換可能にしたものがある。このような鍵盤楽器の消音演奏時においては、押鍵に応動して回動したハンマが弦に当たる直前にハンマシャンクをストッパに当接させて打弦音の発生を抑止すると共に、鍵等の動作をセンサで検知し、押鍵に対応した音高及び強弱でなる楽音を電子的に発生させるようになっている。
【０００３】
ところで、上述した消音演奏可能な鍵盤楽器においては、単にストッパを配置しただけでは、鍵盤の連打性の悪化を招くことがある。これは通常のピアノでは、接近（鍵を非常に低速で押し上げた場合のハンマと弦との最小距離）が２mm程度であり、この値に接近を設定して打弦を阻止すると、ジャックがハンマシャンクから脱進する前に打弦を阻止することとなり、ハンマシャンクがジャックとストッパとの間に挟み込まれることがあるからである。これを防止するためには、ジャックがハンマシャンクから脱進するタイミングを早くして接近を大きくする必要がある。このように、鍵盤の連打性の悪化を防止するためにジャックがハンマシャンクから脱進するタイミングを早くすると、通常演奏時の鍵盤のタッチ感が変化してしまう。
【０００４】
そこで、通常演奏時と消音演奏時とでジャックがハンマシャンクから脱進するタイミングを変更する装置が特開平6-35445号公報に記載されている。この公報に記載された鍵盤楽器では、図１５に示すように、ジャック１とレギュレーティングボタン２との間に進退可能なスペーサ３を設け、このスペーサ３を電磁アクチュエータ４で駆動することにより、ジャック１が運動方向を変えるタイミング、つまりジャック１がハンマシャンク５から脱進するタイミングを変更可能にしている。
【０００５】
【発明が解決しようとする課題】
しかし、上記公報に記載の装置では、電磁アクチュエータとスペーサが平面的に配置されており、装置の設置スペースが大きくなる。このため、鍵盤蓋とアクション機構との間の平面的なスペースの小さい鍵盤楽器には適用できない場合がある。
【０００６】
本発明は、上述した事情に鑑みてなされたものであり、消音演奏時における鍵盤の連打性を悪化させることなく、通常演奏時における鍵盤のタッチ感を維持でき、かつ、平面的な設置スペースの小型化が容易な鍵盤楽器の消音装置、及びこの消音装置を具備する鍵盤楽器を提供することを目的とする。
【０００７】
【課題を解決するための手段】
上述課題を解決するため、請求項１に記載の鍵盤楽器は、
弦と、
前記弦を打撃する打弦部材と、
前記打弦部材を支持するシャンクレールと、
鍵と、
前記鍵の動きに応じて前記打弦部材を突き上げるジャックと、
前記ジャックの一部に当接して、前記ジャックの運動方向を変えるレギュレーティングボタンと、
前記打弦部材の移動範囲に進退自在に設けられ、前記打弦部材の移動範囲に侵入させた時に前記打弦部材の打弦を阻止するストッパ機構とを備える鍵盤楽器において、
前記鍵の配列方向に連続する複数の前記レギュレーティングボタンの各々と前記ジャックの各々との間に前記レギュレーティングボタンの傾斜面に沿って進退自在に設けられ、前記ジャックと前記レギュレーティングボタンとの間に侵入した時に、前記レギュレーティングボタンに代わって前記ジャックの運動方向を変える複数のスペーサ部であって、各々の前記レギュレーティングボタンと各々の前記ジャックとの間に侵入させられる複数の部材と、前記鍵の配列方向に延在し当該複数の部材を支持するホルダとをそれぞれ有する複数のスペーサ部と、
前記ジャックと前記レギュレーティングボタンとの間の位置と、該位置から退避した位置との間で前記スペーサ部を前記鍵の長手方向に沿って移動させる駆動機構と、
前記シャンクレールに固定され、前記駆動機構を支持する固定部材とを備え、
前記スペーサ部の移動可能方向平面と異なる位置であって、且つ、前記スペーサ部を鉛直方向上方から見たときに当該スペーサ部と前記駆動機構とが重なるような位置に、当該駆動機構が支持されていることを特徴としている。
【００１０】
請求項２に記載の鍵盤楽器は、請求項１に記載の鍵盤楽器において、
前記駆動機構は、
回転自在に設けられる軸と、
前記軸に固定され、前記軸の回転に伴って回動させられる回動部材とを有し、
前記スペーサ部は、回動させられる前記回動部材の変位に伴って移動させられることを特徴としている。
【００１１】
請求項３に記載の鍵盤楽器は、請求項２に記載の鍵盤楽器において、
前記回動部材が回動させられた場合に、前記回動部材が前記スペーサ部に当接することにより、前記スペーサ部が移動することを特徴としている。
【００１２】
請求項４に記載の鍵盤楽器は、請求項２又は請求項３に記載の鍵盤楽器において、
前記軸の位置を上下方向及び又は前記鍵の長手方向に調整することができる軸位置調整手段を更に具備することを特徴としている。
【００１３】
請求項５に記載の鍵盤楽器は、請求項１に記載の鍵盤楽器において、
前記駆動機構は、
一端が前記ホルダに回転自在に連結され、他端がピンに回転自在に連結され、当該ピンを中心にして回転する連結部材を備え、
前記スペーサ部は、前記ピンを中心として回転させられる前記連結部材の変位に伴って移動させられることを特徴としている。
【００１４】
請求項６に記載の鍵盤楽器の消音装置は、
鍵と、弦を打撃する打弦部材と、前記打弦部材を支持するシャンクレールと、前記鍵の動きに応じて前記打弦部材を突き上げるジャックと、前記ジャックの一部に当接して、前記ジャックの運動方向を変えるレギュレーティングボタンとを備える鍵盤楽器の消音装置であって、
前記打弦部材の移動範囲に進退自在に設けられ、前記打弦部材の移動範囲に侵入させた時に前記打弦部材の打弦を阻止するストッパ機構と、
前記鍵の配列方向に連続する複数の前記レギュレーティングボタンの各々と前記ジャックの各々との間に前記レギュレーティングボタンの傾斜面に沿って進退自在に設けられ、前記ジャックと前記レギュレーティングボタンとの間に侵入した時に、前記レギュレーティングボタンに代わって前記ジャックの運動方向を変える複数のスペーサ部であって、各々の前記レギュレーティングボタンと各々の前記ジャックとの間に侵入させられる複数の部材と、前記鍵の配列方向に延在し当該複数の部材を支持するホルダとをそれぞれ有する複数のスペーサ部と、
前記ジャックと前記レギュレーティングボタンとの間の位置と、該位置から退避した位置との間で前記スペーサ部を前記鍵の長手方向に沿って移動させる駆動機構と、
前記シャンクレールに固定され、前記駆動機構を支持する固定部材とを備え、
前記スペーサ部の移動可能方向平面と異なる位置であって、且つ、前記スペーサ部を鉛直方向上方から見たときに当該スペーサ部と前記駆動機構とが重なるような位置に、当該駆動機構が支持されていることを特徴としている。
【００１７】
請求項７に記載の鍵盤楽器の消音装置は、請求項６に記載の鍵盤楽器の消音装置において、
前記駆動機構は、
回転自在に設けられる軸と、
前記軸に固定され、前記軸の回転に伴って回動させられる回動部材とを有し、
前記スペーサ部は、回動させられる前記回動部材の変位に伴って移動させられることを特徴としている。
【００１８】
請求項８に記載の鍵盤楽器の消音装置は、請求項７に記載の鍵盤楽器の消音装置において、
前記回動部材が回動させられた場合に、前記回動部材が前記スペーサ部に当接することにより、前記スペーサ部が移動させられることを特徴としている。
【００１９】
請求項９に記載の鍵盤楽器の消音装置は、請求項７又は請求項８に記載の鍵盤楽器の消音装置において、
前記軸の位置を上下方向及び又は前記鍵の長手方向に調整することができる軸位置調整手段を更に具備することを特徴としている。
【００２０】
請求項１０に記載の鍵盤楽器の消音装置は、請求項６に記載の鍵盤楽器の消音装置において、
前記駆動機構は、
一端が前記ホルダに回転自在に連結され、他端がピンに回転自在に連結され、当該ピンを中心にして回転する連結部材を備え、
前記スペーサ部は、前記ピンを中心として回転させられる前記連結部材の変位に伴って移動させられることを特徴としている。
【００２１】
請求項１又は請求項６の構成では、スペーサは、ジャックとレギュレーティングボタンとの間に進退自在に設けられている。従って、駆動機構によりスペーサを移動させることにより、消音演奏時にジャックが打弦部材から脱進するタイミングを通常演奏時におけるタイミングより早くすることができる。このように、消音演奏時と通常演奏時とで脱進のタイミングを変えることができるので、通常演奏時に鍵盤のタッチ感を変化させることなく、かつ消音演奏時に打弦部材がジャックとストッパとの間に挟まれることによる鍵盤の連打性の悪化を防止することができる。また、駆動機構は、スペーサの移動可能方向平面と異なる位置であって、且つ、前記スペーサを鉛直方向上方から見たときに当該スペーサと前記駆動機構とが重なるような位置に、当該駆動機構が支持されていることにより、消音装置の鍵盤蓋側への突出量を低減して、消音装置の平面的な設置スペースを容易に小型化することが可能となる。従って、鍵盤蓋とアクション機構との平面的スペースの小さいピアノにも消音装置を適用することが可能となる。また、この構成では、駆動機構を支持する固定部材をシャンクレールに固定していることにより、消音装置を容易に取り付けることでき、消音装置を具備しない鍵盤楽器にも消音装置を容易に後付けすることが可能となる。
【００２３】
請求項３又は請求項８の構成では、スペーサは、回動する回動部材が当接することにより、移動させられるようになっている。このように、スペーサとスペーサを移動させる駆動機構とが分離されていることにより、スペーサの移動範囲、駆動機構の調整、組立、分解を容易に行うことが可能となる。
【００２４】
請求項４又は請求項９の構成では、軸位置調整手段によって軸の位置を変更することにより、この軸を含んで構成される駆動機構の位置調整や、この駆動機構により移動させられるスペーサの移動範囲等の調整を容易に行うことが可能となる。
【００２５】
【発明の実施の形態】
以下、図面を参照して本発明の実施の形態を詳述する。
（１）第１の実施の形態
（１−１）第１の実施の形態の構成
図１は、本発明の第１の実施の形態に係る消音装置を備えたグランドピアノの１つの鍵の動作に応じて駆動されるアクション機構を示す側断面図である。ここで、図１に示されるアクション機構は、基本的には従来のグランドピアノと同様であるため、従来のグランドピアノと同様の箇所については、主要部のみ説明し、異なる箇所については詳述する。このアクション機構は、鍵１０と、この鍵１０の動作により駆動されるウイペン１１と、このウイペン１１の動作により駆動されるジャック１２と、このジャック１２により駆動されて弦Ｓを打撃するハンマアセンブリ（打弦部材）１３とを備えている。そして押鍵により鍵１０の後端部（図の左端部）が上昇し、そこに固定されたキャプスタン１４がウイペン１１を押し上げるようになっている。
【００２６】
図１において、鍵１０は、鍵１０の配列方向（紙面垂直方向）に延在する図示しない支持フレームに支持され、押鍵することにより支持フレームを支点として図中時計回りの方向に回動するようになっている。また符号１５は、サポートレールであり、サポートレール１５の端部（図の左端部）には、ウイペン１１の左端部が回動自在に支持されている。ウイペン１１の自由端（図の右端）には、略Ｌ字形状のジャック１２がその屈曲部分近傍で回動自在に取り付けられている。ここでジャック１２は、斜め上方に向けて延在するジャック大１２Ａと、このジャック大１２Ａに対してほぼ直交するジャック小１２Ｂとから構成されている。またウイペン１１の中央部には、支柱１６が取り付けられ、この支柱１６に取り付けられた板バネ１６Ａによりジャック１２が反時計回りの方向に付勢されている。また、支柱１６の上端部には、レペティションレバー１７の中間部が回転自在に取り付けられている。レペティションレバー１７の右端部には、上下方向に向けて貫通する長孔１７Ａが形成され、長孔１７Ａには、ジャック大１２Ａの上端部が挿入されている。
【００２７】
次に符号１８は、シャンクレールであり、シャンクレール１８には、ハンマアセンブリ１３の基部を構成するハンマフレンジ１３ａが固定されている。ハンマフレンジ１３ａの左端部には、先端部にハンマヘッド２０が固定されたハンマシャンク２１が上下方向に回動自在に取り付けられている。ハンマシャンク２１の基端部下面には、ローラー２２が取り付けられている。ローラー２２の下面は、レペティションレバー１７の長孔１７Ａに挿入されたジャック大１２Ａの上端面と僅かな隙間を持った状態でレペティションレバー１７の上面に当接させられている。さらに、シャンクレール１８には、鍵１０の配列方向に延在するレギュレーティングレール１９が取り付けられている。レギュレーティングレール１９には、上下方向の位置が調整可能なレギュレーティングボタン２３が取り付けられ、レギュレーティングボタン２３の下端面には、ジャック小１２Ｂの先端部が当接するフェルトパッド２３Ａが取り付けられている。
【００２８】
次に本実施の形態に係る消音装置について説明する。消音装置は、ストッパ部（ストッパ機構）３０とスペーサ部３１とを備える。ストッパ部３０は、鍵１０の配列方向に延長する軸３３Ａを有し、この軸３３Ａに鍵１０の配列方向に延設する板状のハンマストッパ３３Ｂが固着されている。また、ハンマストッパ３３Ｂの右側面には、ハンマシャンク２１が当接するフェルトパッド３３Ｃが取り付けられている。ここで、軸３３Ａは、図示しない駆動機構、例えばモータ等により所定角度範囲で回転可能になされている。この構成の下、軸３３Ａが回動させられると、図２に示すように、ハンマストッパ３３Ｂが回動し、フェルトパッド３３Ｃの取付面がハンマシャンク２１の移動範囲に位置するようになされている。この状態で、鍵１０が押下された場合、図中２点鎖線で示すように、ハンマヘッド２０が弦Ｓを打撃する前にハンマストッパ３３Ｂによりハンマシャンク２１の回動が阻止されるようになされている。一方、ハンマストッパ３３Ｂが図１に示す位置に配置されている場合には、図１中２点鎖線で示すように、ハンマヘッド２０の回動が阻止されずに弦Ｓが打撃されるようになっている。なお、モータに代えてペダルに接続されたワイヤで軸３３Ａを回転させることにより、ハンマストッパ３３Ｂを回動させるようにしてもよい。
【００２９】
図３は、スペーサ部３１を周辺構成と共に示す側断面図である。スペーサ部３１は、鍵１０の配列方向に延在する２つのスペーサ３５を有し、各スペーサ３５の両端を支持するスペーサホルダガイド（固定部材）３４が設けられている。ここで、図４は、スペーサホルダガイド３４とスペーサ３５の分解斜視図である。図３及び図４に示すように、スペーサホルダガイド３４は、断面形状がコの字状に形成された取付部３４Ａと、略水平方向に延長する隙間３４Ｂを有する案内部３４Ｃとから構成されている。取付部３４Ａは、シャンクレール１８を挟むように配置され、ネジ３６、３７によりシャンクレール１８に固定されている。案内部３４Ｃの隙間３４Ｂの内面側には、フッ素樹脂等の潤滑シートが貼着され、この隙間３４Ｂによってスペーサ３５が摺動自在に支持されている。また、案内部３４Ｃは、スペーサ３５の屈曲部３５ａを回避して摺動できるように上部が下部に比して短く形成され、これによりスペーサ３５をレギュレーティングボタン２３側に摺動させることができるようになっている。
【００３０】
スペーサ３５は、鍵１０の配列方向に延在する断面略Ｌ字形状のスペーサホルダ３５Ａと、スペーサホルダ３５Ａの下面に貼着された可撓性部材３５Ｂとから構成されている。可撓性部材３５Ｂは、レギュレーティングボタン２３の数及び間隔に対応するようにレギュレーティングボタン２３側に突出して設けられている。またスペーサホルダ３５Ａの屈曲部３５ａの両端３５ｂとスペーサホルダガイド３４との間にはそれぞれコイルバネ３８が配置され、スペーサ３５をレギュレーティングボタン２３側と反対方向（図３の右側）に付勢するようになされている。ここで、スペーサホルダ３５Ａとしては、金属部材等が用いられ、可撓性部材３５Ｂとしては、フェルト、クロス、ゴム等が用いられる。なお、スペーサ３５の鍵１０の配列方向の長さを変更して、スペーサ３５の数を増減させてもよい。この場合、スペーサ３５の数に応じてスペーサホルダガイド３４の数を増減させることになる。
【００３１】
また、スペーサホルダ３４の取付部３４Ａには、鍵１０の配列方向に延在する軸４０が軸固定部材４０Ａによって回転自在に取り付けられている。ここで、軸４０と軸固定部材４０Ａとの間には緩衝材４０Ｂが介挿されている。また、軸４０には、板状のスペーサレバー（回動部材）４１が取り付けられており、軸４０の回転に応じてスペーサレバー４１が回動するようになっている。スペーサレバー４１の下端は、スペーサ３５の屈曲部３５ａに当接されている。この構成の下、図５に示すように、軸４０を時計回りの方向に回転させると、スペーサレバー４１が回動させられ、これによりスペーサ３５がコイルバネ３８の付勢力に抗してレギュレーティングボタン２３側に移動させられる。このようにして可撓性部材３５Ｂがレギュレーティングボタン２３とジャック小１２Ｂとの間に侵入するようになっている。
【００３２】
（２）第１の実施の形態の動作
（２−１）通常演奏時
次に、上記構成のグランドピアノの動作について説明する。鍵１０が押下されると、鍵１０に取り付けられたキャプスタン１４がウイペン１１を突き上げ、ウイペン１１を反時計回りに回動させる。これに伴い、このウイペン１１の自由端に回動自在に取り付けられたジャック１２のジャック大１２Ａがローラー２２を突き上げ、ハンマシャンク２１を時計回りの方向へ回動させる（図１）。この後、ジャック小１２Ｂがレギュレーティングボタン２３に当接すると、板バネ１６Ａの付勢力に抗して回動方向を時計回りに変更し、ジャック大１２Ａが右方向に移動してハンマシャンク２１に取り付けられたローラー２２から離間する。ジャック１２から離間したハンマシャンク２１は、その慣性力により回動を続け、ハンマヘッド２０が押鍵された鍵に対応する弦Ｓを打撃する（図１において２点鎖線により示す）。
【００３３】
次に離鍵が行われると、押鍵時とは逆にウイペン１１が時計方向に回動し、ハンマシャンク２１が反時計方向へ回動することにより、ウイペン１１の端部に取り付けられたクッション４２にハンマシャンク２１が当接して静止する。この動作に伴って、ジャック小１２Ｂとレギュレーティングボタン２３との係合状態が徐々に解除され、ジャック１２が反時計方向に回動してジャック大１２Ａがローラー２２の真下側に移動し、押鍵前の初期位置に戻る。なお、以上の動作は、従来のグランドピアノと同様である。
【００３４】
（２−２）消音演奏時
次に、消音演奏をする場合には、演奏者により図示しないスイッチ等が押下されると、ハンマストッパ３３Ｂが時計回りに所定角度回転させられ、ハンマシャンク２１の移動範囲に侵入する（図２）。また、これと同時に軸４０が回転させられ、スペーサレバー４１が時計回りに所定角度回動してスペーサ３５をレギュレーティングボタン２３側に移動させる。これにより可撓性部材３５Ｂがレギュレティングボタン２３とジャック小１２Ｂとの間に介挿される（図２、図５）。このとき、この可撓性部材３５Ｂは、レギュレーティングボタン２３と微小な間隔を空けて配置されるようになっている。
【００３５】
この状態で鍵１０が押下されると、通常演奏の場合と同様にキャプスタン１４がウイペン１１を反時計回りに回動させ、ジャック大１２Ａが、ローラー２２を突き上げ、ハンマシャンク２１を時計回りに回動させる。この後、ジャック小１２Ｂがスペーサ３５に当接し、通常演奏時より早いタイミングでジャック大１２Ａがローラー２２の下面から抜ける（図２、図５）。これによりジャック１２は、通常演奏時より低い位置でハンマシャンク１２に取り付けられたローラー２２から離間する。ジャック１２から離間して回動を続けるハンマシャンク２１は、ハンマヘッド２０が弦Ｓに当たる手前でハンマストッパ３３Ｂに当接し、時計回りの方向に跳ね返される（図２において２点鎖線により示す）。その後の動作は通常演奏の場合と同様である。
【００３６】
このように消音演奏時にスペーサ３５をレギュレーティングボタン２３とジャック１２との間に介挿することにより、消音演奏時における脱進のタイミングを通常演奏時より早くすることができる。従って、ハンマストッパ３３Ｂで、ハンマシャンク２１の回動を阻止する前に、ジャック１２が脱進することが可能となり、ハンマシャンク２１がジャック１２とハンマストッパ３３とによって挟み込まれることを防止できる。これにより消音演奏時における鍵盤の連打性の悪化を招くことがない。一方、通常演奏時にはスペーサ３５を退避させることにより、脱進のタイミングを通常のアコースティックピアノと同一にでき、アコースティックピアノと同一のタッチ感を得ることができる。
【００３７】
本実施形態によれば、スペーサ３５を移動させる軸４０、スペーサレバー４１、スペーサホルダガイド３４等の駆動機構をスペーサ３５よりも上方、つまり、スペーサ３５の移動可能方向平面と異なる位置に配置したことにより、消音装置の鍵盤蓋側への突出量を低減して、消音装置の平面的な設置スペースを小型化することが可能となる。従って、鍵盤蓋とアクション機構との平面的スペースが小さい小型のピアノにも、この消音装置を適用することが可能となる。また、スペーサ部３１をシャンクレール１８にネジ３６、３７で固定するだけで取り付けることができるので、消音装置を具備しない鍵盤楽器にも消音装置を容易に後付けすることが可能となる。
【００３８】
また、スペーサ３５をコイルバネ３８によって通常演奏時の位置側に付勢したことにより、通常演奏時にスペーサ３５がレギュレーティングボタン２３側に誤って移動することを防止することができる。また、スペーサ３５とスペーサレバー４１は、接しているだけであり、スペーサ３５とスペーサレバー４１が連結されていない。つまり、スペーサ３５とスペーサ３５を移動させる駆動機構が分離されているので、スペーサ３５の移動範囲、駆動機構の調整、組立、分解を容易に行うことが可能となる。
【００３９】
なお、消音演奏の場合には、図示しない光センサ等により鍵１０の動作等を検出して、この検出結果に基づいて音源回路より楽音信号を出力するようにしてもよい。このようにすれば演奏者は、消音演奏時においても、ヘッドホンやスピーカ等で演奏を聴くことができる。
【００４０】
（２）第２の実施の形態
図６は、第２の実施の形態に係る消音装置を備えたグランドピアノの１つの鍵の動作に応じて駆動されるアクション機構を示す側断面図である。この実施の形態に係る鍵盤楽器においては、スペーサ部５０を除いて第１の実施の形態と同一であるため、同一の部分は同一の番号を付して示し、重複した説明は省略する。
【００４１】
本実施の形態では、スペーサ部５０は、鍵１０の配列方向の両端にスペーサホルダガイド（固定部材）５１を有している。スペーサホルダガイド５１のレギュレーティングボタン２３と反対側には、断面略Ｌ字形状のリンク保持部材５２がネジ５３により固定されている。図７は、スペーサホルダガイド５１とリンク保持部材５２の分解斜視図である。図６及び図７に示すように、スペーサホルダガイド５１は、断面形状がコの字状に形成された取付部５１Ａと、略水平方向に隙間５１Ｂを有する案内部５１Ｃとから構成されている。取付部５１Ａは、シャンクレール１８を挟むように配置され、ネジ３６、３７によりシャンクレール１８に固定されている。案内部５１Ｃの隙間５１Ｂには、スペーサ５４が挿通され、案内部５１Ｃの上面にてスペーサ５４を摺動自在に支持している。
【００４２】
図８は、スペーサ部５０を示す平面図である。スペーサ５４は、鍵１０の配列方向（図の上下方向）に延在するスペーサホルダ５４Ａと、スペーサホルダ５４Ａの下面に貼着された可撓性部材３５Ｂとから構成されている。スペーサホルダ５４Ａの両端部は、ピン５５によってリンク５６（連結部材）の一端（支持部）と略垂直方向（紙面垂直方向）を軸方向として回動自在に結合されている。リンク５６の他端（連結部）は、ピン５７によってリンク保持部材５２と略垂直方向を軸方向として回動自在に結合されている。ここで、スペーサ５４側のピン５５間の距離及び位置関係は、リンク保持部材５２側のピン５７間の距離及び位置関係と同様になされている。すなわち、スペーサ５４、リンク保持部材５２、リンク５６とで平行リンク機構（駆動機構）を構成している。これにより図８（Ａ）に示す状態からリンク５６がピン５７を中心として時計回りの方向に回動すると、図８（Ｂ）に示すように、スペーサ５４が紙面左方向に平行移動するようになされている。従って、リンク５６を回動させることにより、図９に示すように、スペーサ５４の可撓性部材３５Ｂをレギュレーティングボタン２３とジャック１２との間に侵入させることができるようになっている。これとは逆に、図８（Ｂ）に示す状態からリンク５６をピン５７を中心として反時計回りの方向に回動させることにより、スペーサ５４を紙面右方向に平行移動させて（図８（Ａ））、スペーサ５４を図６に示す位置に退避させることができるようになっている。
【００４３】
この鍵盤楽器においては、消音演奏をする場合には、演奏者により図示しないスイッチ等が押下されると、ハンマストッパ３３Ｂが時計回りに所定角度回転させられ、ハンマシャンク２１の移動範囲に侵入する（図９）。また、これと同時にリンク５６が回動させられ、スペーサ５４をレギュレーティングボタン２３側に移動させて、可撓性部材３５Ｂがレギュレーティングボタン２３とジャック小１２Ｂとの間に介挿される（図９）。従って、第１の実施の形態と同様に、消音演奏時における脱進のタイミングを通常演奏時より早くすることができる。これにより消音演奏時における鍵盤の連打性の悪化を招くことがなく、かつ、通常演奏時には、アコースティックピアノと同一のタッチ感が得られる。
【００４４】
本実施形態によれば、スペーサ５４の上面にリンク５６を連結してリンク機構を構成し、つまり、スペーサ３５よりも上方に駆動機構を配置したことにより、消音装置の鍵盤蓋側への突出量を低減して、消音装置の平面的な設置スペースを小型化することが可能となる。従って、第１の実施の形態と同様に鍵盤蓋とアクション機構との平面的スペースが小さい小型のピアノにも消音装置を適用することが可能となる。
【００４５】
（３）変形例
（３−１）変形例１
上述の第１の実施の形態においては、スペーサホルダガイド３４の案内部３４Ｃによりスペーサ３５を摺動自在に支持する場合について述べたが、本発明はこれに限らず、図１０に示すように、スペーサ３５をスペーサレバー４１の下端に固定し、スペーサレバー４１を回動させることにより、スペーサ３５を消音演奏時の位置（図１０（Ａ））と通常演奏時の位置（図１０（Ｂ））との間で移動させるようにしてもよい。このようにすれば、スペーサホルダガイドの構成を簡易にすることができる。
【００４６】
（３−２）変形例２
また、スペーサをスペーサレバーの下端に固定する場合において、スペーサホルダガイドに配置される軸の位置を変更可能にして、スペーサの移動範囲、駆動機構の位置調整等を行えるようにしてもよい。
【００４７】
図１１は、軸４０の位置を変更可能なスペーサ部をその周辺構成と共に示す側断面図であり、図１２は、このスペーサ部の分解斜視図である。図１１及び図１２に示すように、スペーサホルダガイド７１は、シャンクレール１８に固定される固定部材７１Ａと、上下方向に延びる長孔Ｙを有する固定部材（軸位置調整手段）７１Ｂと、鍵１０（図１参照）の長手方向（以下、左右方向という。）に延びる長孔Ｘを有する固定部材（軸位置調整手段）７１Ｃとから構成される。ここで、固定部材７１Ａは、ネジ７１Ｄによりシャンクレール１８に固定されている。固定部材７１Ｂは、この上下方向に延びる長孔Ｙにネジ７１Ｅが通されて固定部材７１Ａに固定されている。固定部材７１Ｃは、この左右方向に延びる長孔Ｘにネジ７１Ｆが通されて固定部材７１Ｂに固定されている。また、固定部材７１Ｂと固定部材７１Ｃとの間には、軸４０が回転自在に支持されている。従って、長孔Ｙの範囲内で固定部材７１Ｂのネジ止め位置を変更すれば、軸４０の上下方向の位置を変更することができるようになっている。同様にして、長孔Ｘの範囲内で固定部材７１Ｃのネジ止め位置を変更すれば、軸４０の左右方向の位置を変更することができるようになっている。
【００４８】
軸４０には、略Ｌ字形状のスペーサレバー７２の上端が固定され、スペーサレバー７２の下端には、スペーサ３５が固定されている。これにより軸４０を中心にスペーサレバー７２を回動させることにより、スペーサ３５を消音演奏時の位置（図１１（Ａ））と通常演奏時の位置（図１１（Ｂ））との間で移動させることができるようになっている。
【００４９】
この構成によれば、固定部材７１Ａに対する固定部材７１Ｂの上下方向のネジ止め位置又は固定部材７１Ｃの左右方向のネジ止め位置を変更することにより、軸４０の位置を上下又は左右に変更することが可能となる。従って、スペーサレバー７２を介して軸４０に固定されているスペーサ３５の移動範囲、駆動機構の位置調整等を容易に行うことが可能となる。
【００５０】
また、変形例１の場合に比して軸４０をスペーサ３５のほぼ真上に配置したことにより、消音装置の鍵盤蓋側への突出量をさらに低減して、消音装置の平面的な設置スペースを小型化することが可能となる。さらに、鍵盤蓋側への突出量を増大させることなく、スペーサレバー７２に固定されたスペーサ３５の回動中心である軸４０とスペーサ３５との距離、つまり、回動半径を大きくすることができ、これによりスペーサ３５をレギュレーティングボタン２３の傾斜面に沿って、ほぼ平行に移動させることが可能となる。なお、軸４０の位置を上下及び左右に変更可能にする場合について述べたが、上下又は左右いずれかのみ変更可能にしてもよい。
【００５１】
（３−３）変形例３
また、変形例２においては、軸４０の位置を変更可能にする場合について述べたが、本発明はこれに限らず、スペーサの位置も変更可能にしてもよい。例えば、図１３に示すように、スペーサに上下方向に延びる長孔Ｙを形成し、この長孔Ｙにネジ７１Ｅを通してスペーサレバー７２とスペーサを固定することにより、スペーサの位置を上下に変更可能にすることができる。この場合、図示のように固定部材７１Ａと固定部材７１Ｂに代えて、長孔Ｙのない固定部材７１ＡＢを使用して軸４０の位置を左右方向のみ変更可能にしてもよい。このようにすれば、変形例２と同様に、スペーサの移動範囲、駆動機構の位置調整等を容易に行うことが可能となる。
【００５２】
（３−４）変形例４
上述の第２の実施の形態においては、スペーサ５４の上面にリンク５６を連結してリンク機構を構成する場合について述べたが、本発明はこれに限らず、要は、スペーサ５４の移動可能方向を含む平面Ｆ（図１４中破線で示す）と異なる位置に駆動機構が配置されていればよい。例えば、図１４に示すように、スペーサ５４の下面にリンク５６を連結してリンク機構を構成してもよい。このようにしても、消音装置の鍵盤蓋側への突出量を低減して、消音装置の平面的な設置スペースを小型化することが可能となる。
【００５３】
（３−５）変形例５
上述の実施の形態においては、グランドピアノに本発明を適用する場合について述べたが、本発明はこれに限らず、アップライトピアノ等の鍵盤楽器に広く適用することができる。
【００５４】
【発明の効果】
上述したように本発明によれば、消音演奏時における鍵盤の連打性を悪化させることなく、通常演奏時における鍵盤のタッチ感を維持でき、かつ、消音装置の平面的な設置スペースを容易に小型化がすることが可能となる。
【図面の簡単な説明】
【図１】  本発明の第１の実施の形態に係る消音装置を備えたグランドピアノのアクション機構を示す側断面図である。
【図２】  前記グランドピアノの消音演奏時におけるアクション機構を示す側断面図である。
【図３】  通常演奏時における前記アクション機構のスペーサ部をその周辺構成と共に示す側断面図である。
【図４】  前記スペーサ部のスペーサホルダガイドとスペーサの分解斜視図である。
【図５】  消音演奏時における前記スペーサ部をその周辺構成と共に示す側断面図である。
【図６】  本発明の第２の実施の形態に係る消音装置を備えたグランドピアノのアクション機構を示す側断面図である。
【図７】  前記アクション機構のスペーサホルダガイドとリンク支持部材の分解斜視図である。
【図８】  （Ａ）は、通常演奏時における前記アクション機構のスペーサ部を示す平面図であり、（Ｂ）は、消音演奏時における前記スペーサ部を示す平面図である。
【図９】  前記グランドピアノの消音演奏時におけるアクション機構を示す側断面図である。
【図１０】  （Ａ）は、変形例１に係る消音装置を備えたグランドピアノの消音演奏時におけるアクション機構のスペーサ部をその周辺構成と共に示す側断面図であり、（Ｂ）は、通常演奏時における前記スペーサ部をその周辺構成と共に示す側断面図である。
【図１１】  （Ａ）は、変形例２に係る消音装置を備えたグランドピアノの消音演奏時におけるアクション機構のスペーサ部をその周辺構成と共に示す側断面図であり、（Ｂ）は、通常演奏時における前記スペーサ部をその周辺構成と共に示す側断面図である。
【図１２】  前記スペーサ部の分解斜視図である。
【図１３】  変形例３に係る消音装置を備えたグランドピアノのアクション機構のスペーサ部の分解斜視図である。
【図１４】  変形例４に係る消音装置を備えたグランドピアノのアクション機構のスペーサ部をその周辺構成と共に示す側断面図である。
【図１５】  従来の消音装置を備えたグランドピアノのアクション機構を示す側断面図である。
【符号の説明】
１、１２……ジャック、２、２３……レギュレーティングボタン、３、３５、５４……スペーサ、５、２１……ハンマシャンク、１０……鍵、１１……ウイペン、１３……ハンマアセンブリ（打弦部材）、１８……シャンクレール、２０……ハンマヘッド、３０……ストッパ部（ストッパ機構）、３１、５０……スペーサ部、３３Ｂ……ハンマストッパ、３４、５１、６０、７１……スペーサホルダガイド（固定部材）、３８……コイルバネ、４０……軸（駆動機構）、４１、７２……スペーサレバー（駆動機構）、５６……リンク（連結部材）、７１Ａ、７１Ｂ、７１Ｃ、７１ＡＢ……固定部材（軸位置調整手段）、Ｓ……弦
【図１】
0004019547.tif 000002
【図２】
0004019547.tif 000003
【図３】
0004019547.tif 000004
【図４】
0004019547.tif 000005
【図５】
0004019547.tif 000006
【図６】
0004019547.tif 000007
【図７】
0004019547.tif 000008
【図８】
0004019547.tif 000009
【図９】
0004019547.tif 000010
【図１０】
0004019547.tif 000011
【図１１】
0004019547.tif 000012
【図１２】
0004019547.tif 000013
【図１３】
0004019547.tif 000014
【図１４】
0004019547.tif 000015
【図１５】
0004019547.tif 000016